Podtech/llm-jp-corpus-v4-ja_patent huggingface dataset:
(57)【要約】【課題】  ラミネータ操作の占用空間が減らされ、操作上の便利性が増されたラミネータの提供。【解決手段】  ラミネータの正面のフィード口の上方或いは下方に導出口が設けられ、ラミネータのフィード口と導出口がいずれも使用者の正面に向けられ、ラミネータ操作の占用空間が減らされ、操作上の便利性が増された。【選択図】        図１
0003136429.tif 000002
【実用新案登録請求の範囲】
【請求項１】
ラミネータにおいて、ラミネータのケーシングのフィード口付近に導出口が設けられ、上述のフィード口と導出口がいずれも使用者の正面に向けられたことを特徴とする、ラミネータ。
【請求項２】
該導出口が該フィード口の下方に平行に設けられたことを特徴とする、請求項１記載のラミネータ。
【請求項３】
該導出口が該フィード口の上方に平行に設けられたことを特徴とする、請求項１記載のラミネータ。
【考案の詳細な説明】
【技術分野】
【０００１】
本考案は一種のラミネータに係り、特に、ラミネータの正面のフィード口の上方或いは下方に導出口が設けられ、ラミネータのフィード口と導出口がいずれも使用者の正面に向けられ、ラミネータ操作の占用空間が減らされ、操作上の便利性が増されたラミネータに関する。
【背景技術】
【０００２】
周知のラミネータ（ｌａｍｉｎａｔｏｒ）は、写真、証明書などの重要な文献とされるラミネート品（ｌａｍｉｎａｔｅｄ  ｐｒｏｄｕｃｔ）にフィルム（ｆｉｌｍ）を被せた後に、ラミネータの加熱素子（ｈｅａｔｉｎｇ  ｅｌｅｍｅｎｔ）により熱エネルギーをプレスロール（ｐｒｅｓｓｉｎｇ  ｒｏｌｌｅｒ）に伝導し、高熱ロールで加圧してフィルムを融合させてラミネート品を封止、保護する。
【０００３】
伝統的なラミネータはフィード口がラミネータの正面に設けられ、導出口はフィード口の反対側、すなわちラミネータの背面位置に設けられる。このため、ラミネータは作業時にフィード口の前方と導出口の後方に、ラミネート品のサイズに相当する空間を保留しなければならず、このためラミネータを、その作業時に通常デスクの中央に移動させなければラミネートを行なうのに十分な空間が得られず、また、ラミネート動作完成後には再度ラミネータをもとの位置に戻さねばならない。このため操作上理想的でないところがあり、改良が必要である。
【考案の開示】
【考案が解決しようとする課題】
【０００４】
本考案の主要な目的は、一種のラミネータを提供することにあり、それはラミネータのフィード口と導出口がいずれも使用者の正面に向けられ、これによりフィード口前方にラミネート品のサイズに相当する空間を保留するだけでラミネート動作を行なえ、ラミネータ操作の占用空間が半分に減らされたラミネータであるものとする。
【課題を解決するための手段】
【０００５】
請求項１の考案は、ラミネータにおいて、ラミネータのケーシングのフィード口付近に導出口が設けられ、上述のフィード口と導出口がいずれも使用者の正面に向けられたことを特徴とする、ラミネータとしている。
請求項２の考案は、該導出口が該フィード口の下方に平行に設けられたことを特徴とする、請求項１記載のラミネータとしている。
請求項３の考案は、該導出口が該フィード口の上方に平行に設けられたことを特徴とする、請求項１記載のラミネータとしている。
【考案の効果】
【０００６】
本考案は一種のラミネータを提供し、それは、ラミネータの正面のフィード口の上方或いは下方に導出口が設けられ、フィード口と導出口がいずれも使用者の正面に向けられ、これによりラミネータ操作の占用空間が減らされ並びに操作上の便利性が増された。
【考案を実施するための最良の形態】
【０００７】
図１は本考案のラミネータの外観立体図である。図示されるように、ラミネータ１のケーシングないにラミネート目的を達成するためのモータ、加熱素子、及びロールなどの必要部品（図示せず）が設けられ、ケーシング正面上方位置にラミネート品をラミネータ１に送りラミネートするためのフィード口１１が設けられている。該フィード口１１の下方に該フィード口１１と平行に導出口１２が設けられ、上述のフィード口１１と導出口１２はいずれも使用者の正面に向けられる。導出口１２の延伸方向にさらに折り畳み可能（矢印で表示）なトレイ１３が設けられている。
【０００８】
本考案によると、導出口が伝統的な技術とは異なり、フィード口と平行に正面位置に設けられるため、ラミネータ操作の占用空間が半分に減らされる。使用者は平時にラミネータを卓上の壁際など場所をとらない位置に設置でき、操作時には僅かにラミネータの正面のスペースをあければよく、ラミネータを移動させなくてもラミネート動作を行なえ、操作上の便利性が増されている。
【０００９】
具体的な実施時には、図示されるように、ラミネータと一般のキャビネット２を結合使用可能であり、すなわち、ラミネータ１をキャビネット２の上方に設置し、キャビネット２内にフィルム等のラミネート備品を放置できる。
【図面の簡単な説明】
【００１０】
【図１】本考案の外観立体図である。
【符号の説明】
【００１１】
１  ラミネータ
１１  フィード口
１２  導出口
１３  トレイ
２  キャビネット
【図１】
0003136429.tif 000003
(57)【要約】【課題】  汎用の遠近両用眼鏡にあって、鼻当ての移動、言い換えればレンズ部分の移動が容易であり、かつ所定の位置を確保でき、特に近視用レンズ部分が適正な高さで使用できる安価な遠近両用眼鏡の補助具を提供する。【解決手段】  本考案は、汎用の遠近両用眼鏡の眼鏡縁５の両外端に具備した蝶番部分４に、伸縮性のある紐状の素材１の両端に留め具２を付帯した補助具を装着し、長さを調節した紐状部分を眼鏡着用者の後頭部にかけることで、鼻当ての位置、言い換えればレンズの位置を適切な高さに容易に設定するものである。【選択図】  図２
0003136441.tif 000002
【実用新案登録請求の範囲】
【請求項１】
両端に留め具２を付帯した伸縮性のある紐状素材であって、遠近両用眼鏡着用時に長さ調節可能な紐状の素材部分１を後頭部に掛け、かつその留め具部分２を眼鏡縁５の両外端に具備する蝶番部分４に装着することにより、所定のレンズ部分が適正な高さで使用できるようにレンズの高さ調整が可能な遠近両用眼鏡の補助具。
【考案の詳細な説明】
【技術分野】
【０００１】
本考案は、遠近両用のレンズを使用する眼鏡にあって、鼻当てを容易に上下させることによって眼鏡縁を上下させて、遠視用・近視用のいずれのレンズ部分を使用する場合においても、使用するレンズ部分が確実に適正な高さになる安価なかつ簡易な遠近両用眼鏡の補助具に関する。
【背景技術】
【０００２】
遠近両用眼鏡においては、一般に景色の鑑賞などはもともと適正な高さにある遠視用レンズ部分を使用するために眼の疲れは少ないが、読書や書き物は近視用レンズ部分を通して下目使いで行われるために、近視用レンズ部分を使用する作業では特に疲れ易く、長時間の作業には向かない。
【０００３】
近年、遠近両用眼鏡を使用しながら、適正な高さで近視用レンズ部分を利用しようとする試みが見られ、例えば鼻当てを磁石によって上下に移動させることで、近視用レンズ部分も適正な高さで使用可能な方法が提案されている（特許文献１参照）。
【特許文献１】特開２００５−８４６６４
【考案の開示】
【考案が解決しようとする課題】
【０００４】
しかし,前述の特許文献１に提案された遠近両用眼鏡では、精密素材を起用するために価格は高価となり、特別な維持管理も必要とされ、さらにはその素材類の重みが鼻に新たに掛かることとなる。
【０００５】
本考案は、安価なかつ簡便な補助具を用いることで鼻当ての移動が容易となり、使用しようとするレンズ部分が所定の位置を確実に確保され、適正な高さで使用できる遠近両用眼鏡を提供することを目的としている。
【０００６】
本考案の上記ならびにその他の目的と新規な特徴は、以下の説明を添付図面と照らし合わせて読むと、より完全に明らかになる。
但し、図面は専ら解説のためのものであって、本考案の記述範囲を限定するものではない。
【課題を解決するための手段】
【０００７】
本考案は、遠視用レンズ部分と近視用レンズ部分とよりなる遠近両用のレンズを装備した遠近両用眼鏡にあって、眼鏡縁の両外端に具備した蝶番部分に、伸縮性のある紐状の素材をその両端に付帯した留め具を用いて装着し、長さを調節した紐状の素材を眼鏡着用者の後頭部に掛けることにより、鼻当ての位置、言い換えればレンズの位置を適切な高さに容易に設定し得るものである。
【考案の効果】
【０００８】
本考案の遠近両用眼鏡の補助具を装着すれば、遠視用または近視用いずれのレンズ部分を使用する場合でも、指で鼻当ての位置関係を変えることにより、容易に使用したいレンズ部分を確実に適正な高さに設定できる。
【０００９】
また、本考案の補助具は、安価な素材で構造も簡単であり、眼鏡本体に精巧かつ高価な加工を施す必要もない。
【考案を実施するための最良の形態】
【００１０】
本考案の実施形態を図１及び図２を用いて説明する。
【００１１】
図１は本考案の一実施例を示す補助具の全体図、図２は着用した時の図１に示す補助具と遠近両用眼鏡の関係を示したものである。
【００１２】
本考案の補助具の使用に当たって、まず初めに、紐状の素材１の長さを調節し、ピンチ３で固定し、紐状素材１の両端に付帯した留め具２を、遠近両用眼鏡の眼鏡縁５に具備した蝶番部分４に装着する。
【００１３】
遠近両用眼鏡を着用すると同時に、紐状素材よりなる補助具を後頭部に掛け、鼻当てを指で上下に移動させることでレンズの位置を調節する。
【００１４】
すなわち、汎用の遠近両用眼鏡においては、鼻当てを指で押し上げることで近視用レンズを適正な位置で使用することが可能となり、逆に鼻当てを下げることで遠視用レンズを使用することが出来る。
【図面の簡単な説明】
【００１５】
【図１】本考案の一実施例を示す全体図
【図２】図１の補助具を着用した時の補助具と遠近両用眼鏡の位置関係図
【符号の説明】
【００１６】
１    補助具の紐状素材部分
２    留め具
３    ピンチ
４    蝶番
５    眼鏡縁
６    アーム
【図１】
0003136441.tif 000003
【図２】
0003136441.tif 000004
(57)【要約】【課題】    新情報ツールＱＲコード（登録商標）をアクセサリー・装身具のデザインと融合し、機能性面においても多様化する市場のニーズに新提案するギフト性があり、付加価値のあるアクセサリー・装身具を提供すること。【解決手段】本考案は、ロストワックス鋳造法によって成型するアクセサリー・装身具１に対し、反射するものの読取りは困難と定義付けされたＱＲコード（登録商標）を白色の塗料、３を塗布する事で反射防止し、携帯電話２のバーコードリーダー機能を用いて読取り可能にしたものである。独自性、パーソナル性を求められる市場消費者の多様化に応え、新提案を可能にした商品開発、商品提供を実践する。【選択図】    図２
0003136417.tif 000002
【実用新案登録請求の範囲】
【請求項１】
貴金属材料に、ロストワックス鋳造方法を用いて、立体的な２次元コードを成型し、
バーコードリーダー機能を用いて携帯電話により各種情報を読み取り可能にした事を
特徴とする装身具。
【請求項２】
前記、貴金属材料の表面に、光の反射防止用白色塗料を塗布した事を特徴とする
請求項１に記載の装身具。
【考案の詳細な説明】
【技術分野】
【０００１】
本考案は、ロストワックス鋳造法により形成される２次元コード付き装身具に関し、更に詳しくは、成型された２次元コードを携帯電話のバーコードリーダー機能により読み取り、各種情報が得られるようにした装身具である。
【０００２】
本考案は、大容量、高密度の情報を搭載可能とした２次元コ−ド、以下、ＱＲコード（登録商標）というを携帯電話のバーコードリーダー機能を用いて読み取り・解読する為の装身具である。
【背景技術】
【０００３】
アクセサリー・装身具のデザインは多様化が進みより市場ではパーソナル的な付加価値を望まれている。
【考案の開示】
【考案が解決しようとする課題】
【０００４】
製造メーカーとして差別化を図る上でアクセサリー・装身具のデザイン性、機能性のニーズは多様化している。市場で求められる商品の付加価値はオリジナル性、パーソナル的な付加価値を有する商品である。前述の課題を克服し、商品提供をする上で解決しようとするものである。
【課題を解決するための手段】
【０００５】
携帯電話の普及と共にバーコードリーダー機能を用いて情報を読取るＱＲコード（登録商標）の普及は増し、情報流通において必要な標準機能である。アクセサリー・装身具はギフト的な要素を大きく含む商品であるのでメモリアル性・メッセージ性あるパーソナル的な付加価値を提供するにあたり、魅力的なツールであるＱＲコード（登録商標）をデザインの一部に融合させる事は独自性を求める市場において効果的である。
【考案の効果】
【０００６】
上述の様に、ＱＲコード（登録商標）機能付き、アクセサリー、装身具は様々なデザインと融合しオリジナルなメッセージや情報発信の機能により、付加価値のあるギフト商品として市場のニーズに応える商品開発、商品提供が可能になるものである。
【考案を実施するための最良の形態】
【０００７】
本考案で用いるＱＲコード（登録商標）は凸と凹の立体的なモザイク模様に情報を成型し、携帯電話の標準機能であるカメラレンズを通じてスキャンするバーコードリーダー機能によって読取り、表示される。
正確に読取り、表示を可能にする為にロストワックス鋳造方法を用いて確実な凸凹を成型し、モザイク模様の立体的な凹の部分に白色の塗料を塗布する事で、本来、反射する素材に対して読取り、表示が困難と定義付けられたＱＲコード（登録商標）は貴金属材料の反射が抑えられ、バーコードリーダー機能で読取り可能なコントラストを実現し、表示が可能となった。
【実施例】
【０００８】
以下、添付図面に従って実施例を説明する。１はロストワックス鋳造方法で成型した装身具であり、ＱＲコード（登録商標）凸凹面の凹部分に白色の塗料、３が塗布したものである。
【０００９】
２はバーコードリーダー機能を搭載した携帯電話である。バーコードリーダー機能を起動させ、ＱＲコード（登録商標）を携帯電話のカメラレンズを通じてスキャンを実行し読取る。
【００１０】
読取りを完了した情報は、携帯電話の画面にＱＲコード（登録商標）に入力された通りに表示される。表示されたメッセージ、またはＵＲＬアドレス、及びメールアドレスは携帯電話のモバイル機能により接続を可能にし、必要な情報を得る事が可能になる。
【図面の簡単な説明】
【００１１】
【図１】（Ａ）は、本考案のＱＲコード（登録商標）機能付きアクセサリー・装身具の正面と(B)は、バーコードリーダー機能付きの携帯電話の正面図である。
【図２】本考案のＱＲコード（登録商標）機能付きアクセサリー・装身具の一実施例を示す正面図である。
【符号の説明】
【００１２】
１  ＱＲコード（登録商標）機能付きアクセサリー・装身具本体
２  バーコードリーダー機能付きの携帯電話
３  白色の塗料
【図１】
0003136417.tif 000003
【図２】
0003136417.tif 000004
(57)【要約】      （修正有）【課題】威力のある投球の実現の為に、中指・人差し指の力の鍛錬のみならず、離球時に中指・人差し指に力を入れることができるという巧緻性を向上させる。【解決手段】基礎部を小指・薬指・親指で握ることにより本考案を掌に固定し、鍛錬部を中指・人差し指で湾曲させることで集中的に中指・人差し指を鍛錬し、結果として中指・人差し指の筋力・巧緻性の向上ができる。【選択図】図１
0003136489.tif 000002
【実用新案登録請求の範囲】
【請求項１】
弾力性・耐久性に富む材料を使用したバナナ形状の器具を握り締めることにより鍛錬部を湾曲させ、集中的に中指・人差し指を強化する握力強化用具。
【考案の詳細な説明】
【技術分野】
【０００１】本考案は、中指・薬指の筋力・巧緻性の鍛錬に特化した、バナナ形状の握力強化用具である。
【背景技術】
【０００２】従来の握力強化具では、中指・小指に特化した握力強化を、本考案のようなバナナ形状の握力強化用具で実現しようというものが無かった。野球競技者、特に投手の指先の感覚というものは非常に繊細で、且つ個人差があるが、そうした競技者側の細分化された要望、実態に合わせ、従来の握力強化具とは違った外観、違った感触により、握力強化を実現するものである。
【考案の開示】
【考案が解決しようとする課題】
【０００３】野球における投球時の離球時において、握力、とりわけ中指及び人差し指の力と巧緻性は非常に重要である。しかし、人によっては「手を強く握る」という時に小指・薬指側に力が入ってしまい、肝心な中指・人差し指側に上手く力を入れることができない。せっかく平均以上の握力を持っている者や、平均以上の腕を振る速度を持ちうる者であっても、離球時に小指・薬指側に力が入ってしまい、肝心な中指・人差し指側に力が入らないようでは威力ある投球ができない。
威力のある投球の実現の為には、この中指・人差し指の力の鍛錬のみならず、離球時に中指・人差し指に力を入れることができるという巧緻性を向上させなければならない。
【考案が解決する為の手段】
【０００４】本考案具の使用により、実際にボールを握った指の姿勢で集中的に中指・人差し指のみを鍛えることができ、結果として中指・人差し指の筋力強化及び巧緻性を向上させることができる。
【考案の効果】
【０００５】本考案の基礎部を小指・薬指・親指で握ることにより本考案を掌に固定し、鍛錬部を中指・人差し指で湾曲させることで集中的に中指・人差し指を鍛錬し、結果として中指・人差し指の筋力・巧緻性の向上ができる。
【考案を実施する為の最良の形態】
【０００６】弾力性・耐久性に優れた鋼材を芯材とすることで繰り返しの使用に耐えうるものとし、その芯材を樹脂材で被覆することで、掌・指先のフィット感を実現する。
【図面の簡単な説明】
【０００７】
【図１】「本考案の装着を示した正面図である」
【図２】「本考案の使用した斜視図である」
【図３】「本考案の正面図である」
【図４】「本考案の平面図である」
【符号の説明】
【０００８】（１）指を置く凹み
（２）鍛錬部
（３）基礎部
【図１】
0003136489.tif 000003
【図２】
0003136489.tif 000004
【図３】
0003136489.tif 000005
【図４】
0003136489.tif 000006
(57)【要約】      （修正有）【課題】碁・将棋等々のル−ルと雰囲気等を抽出して取り纏め、これを凝縮してル−ルを新しく作ることにより、脇役であったサイコロが、競技の主役となる新しい遊具を提供する。【解決手段】黒地に白目のサイコロ（２）及び白地に黒目のサイコロ（３）をそれぞれ六個作り、基板（１）の１路線に並べ、二人で競技するサイコロを一面回転し、目を揃える競技遊具である。【選択図】図１
0003136481.tif 000002
【実用新案登録請求の範囲】
黒地に白目のサイコロ（２）及び白地に黒目のサイコロ（３）をそれぞれ六個作り、基盤（１）の１路線に並べ、二人で競技する遊具。
【考案の詳細な説明】
【考案の詳細な説明】
基盤（１）は、将棋盤的であり、またサイコロは既にあるものであるが、殆ど各種競技の脇役である。これを本案のように整理し、競技ル−ルを作ることによりサイコロ自体が競技に参加し、主役となることにより新たな遊具としての価値が認められる。
サイコロの大きさは、一辺３０ｍｍの四角の立方体とし、基盤（１）の路線のマスは一辺３５ｍｍの正方形の大きさが扱い易い。
これを競技ル−ルを含め、図面により説明すると、まず、基盤（１）は７路×７路盤とし、一番手前の路線１を自陣とし、ここにサイコロを上面に１・２・３・４・５・６の目を出して並べる。この場合、サイコロ側面の目の数の方向は自由とする。
交互にサイコロを一面回転しながら、相手の一番奥の１路線に規定の条件を満たして六個のサイコロ全部が先に入ったとき、勝ちとなる。
基盤（１）は７路線で、サイコロは六個であるので、１路線空きができるがこの空きは中央の路線×印を空き路とする。
競技のル−ルは次の通りとする。
▲１▼  二人で競技する。別の振りサイコロを振り先攻を決める。
▲２▼  基盤に置いたサイコロは、一回に一面回転で前後または左右に移動する。基盤上でサイコロを滑らしてはいけない。
▲３▼  交互に、サイコロを一面回転させながら相手の一番奥の１の路線に六個のサイコロを全部入れた方が勝ちとなる。
▲４▼  この時のサイコロの目は、上面が例えば２・２・２・２・２・２のように六個とも同じになることが条件である。
▲５▼  競技開始前にその都度、上面のサイコロの数をお互いが決め合っておくこと。
▲６▼  入陣した時も、中央の路線の×印２は空きとしてサイコロを並べない。
▲７▼  基盤の×印２の空き路は、サイコロの移動中は使用して良い。
▲８▼  相手の入陣を妨げたり、入陣直前に、決められた目を揃えるために一面回転をしながら、進んだり引いたり、また左に行ったり右に行ったり、ここにゲ−ムの駆け引きと面白さがある。
【図面の簡単な説明】
0003136481.tif 000003
２の×印は空き路。
１は自陣
0003136481.tif 000004
【手続補正書】
【提出日】平成19年7月10日(2007.7.10)
【手続補正１】
【補正対象書類名】実用新案登録請求の範囲
【補正対象項目名】全文
【補正方法】変更
【補正の内容】
【実用新案登録請求の範囲】
【請求項１】
黒地に白目のサイコロ（２）及び白地に黒目のサイコロ（３）をそれぞれ六個作り、基盤（１）の１路線に並べ、二人で競技する遊具。
【手続補正２】
【補正対象書類名】明細書
【補正対象項目名】全文
【補正方法】変更
【補正の内容】
【考案の詳細な説明】
【考案の詳細な説明】
基盤（１）は、将棋盤的であり、またサイコロは既にあるものであるが、殆ど各種競技の脇役である。これを本案のように整理し、競技ル−ルを作ることによりサイコロ自体が競技に参加し、主役となることにより新たな遊具としての価値が認められる。
サイコロの大きさは、一辺３０ｍｍの四角の立方体とし、基盤（１）の路線のマスは一辺３５ｍｍの正方形の大きさが扱い易い。
これを競技ル−ルを含め、図面により説明すると、まず、基盤（１）は７×７路盤とし、一番手前の路線１を自陣とし、ここにサイコロを上面に１・２・３・４・５・６の目を出して並べる。この場合、サイコロ側面の目の数の方向は自由とする。
交互にサイコロを一面回転しながら、相手の一番奥の１路線に規定の条件を満たして六個のサイコロ全部が先に入ったとき、勝ちとなる。
基盤（１）は７路線で、サイコロは六個であるので、１路線空きができるがこの空きは中央の路線×印を空き路とする。
競技のル−ルは次の通りとする。
▲１▼  二人で競技する。別の振りサイコロを振り先行を決める。
▲２▼  基盤に置いたサイコロは、一回に一面回転で前後または左右に移動する。基盤上でサイコロを滑らしてはいけない。
▲３▼  交互に、サイコロを一面回転させながら相手の一番奥の１の路線に六個のサイコロを全部入れた方が勝ちとなる。
▲４▼  この時のサイコロの目は、上面が例えば２・２・２・２・２・２のよに六個とも同じになることが条件である。
▲５▼  競技開始前にその都度、上面のサイコロの数をお互いが決め合っておくこと。
▲６▼  入陣した時も、中央の路線の×印２は空きとしてサイコロを並べない
▲７▼  基盤の×印２の空き路は、サイコロの移動中は使用して良い。
▲８▼  相手の人陣を妨げたり、人陣直前に、決められた目を揃えるために一面回転しながら、進んだり引いたり、また左に行ったり右に行ったり、ここにゲ−ムの駆け引きと面白さがある。
【図面の簡単な説明】
【図１】は本案の斜視図である。
【符号の説明】
（１）・・・基盤
（２）・・・黒地に白目のサイコロ
（３）・・・白地に黒目のサイコロ
２  ・・・×印は空き路
１  ・・・自陣
【手続補正３】
【補正対象書類名】図面
【補正対象項目名】全図
【補正方法】変更
【補正の内容】
【図１】
0003136481.tif 000005
(57)【要約】【課題】本考案はシックハウス・シックビル症候群対策に適するように、漆喰状の光触媒を芯材の両面に塗付して被膜を構成し、外枠をつけてパネルとする。【解決手段】本考案は、漆喰状の光触媒４を芯材３の両面に塗付して被膜を構成し、外枠２を付けたパネル１を、単体として使用するか、複数枚のパネルを蝶番５で連結して延長し折り曲げて倒れを防止して使用するか、又はパネルの下部にキャスター６を取り付けて移動を容易にして使用することで一般家庭のみならずオフィス・店舗でもより効果の大きい居住空間の改善が可能になる【選択図】図３
0003136482.tif 000002
【実用新案登録請求の範囲】
【請求項１】
漆喰状光触媒を芯材の両面に塗付して被膜を構成し、外枠をつけたことを特徴とする、アレルギー症状を引き起こすシックハウス症候群・シックビル症候群の対策に適したパネル。
【請求項２】
上記パネルを横方向に蝶番で複数枚連結したパネル。
【請求項３】
上記請求項１又は請求項２のパネルにおいて、パネルの下部にキャスターを設けた請求項１又は請求項２のいずれかに記載のパネル。
【考案の詳細な説明】
【技術分野】
【０００１】本考案はシックハウス症候群、シックビル症候群対策のため居住空間の改善を目的として、漆喰状光触媒を両面に塗付して被膜を構成したパネルに関するものである。
【背景技術】
【０００２】シックハウス症候群、シックビル症候群の対策として、居住空間の改善のため有害化学物質を分解したりマイナスイオンを発生させる物質を建築物に施工する技術は、特許文献１、特許文献２、特許文献３、特許文献４に見られるがいずれも部屋の内壁に施工する工法であり、実案文献１の衝立に関してはマイナスイオンを発生させるために電極を内蔵する構造である。
【特許文献１】特開２００６−３３６２１０
【特許文献２】特開２００２−３４８７８５
【特許文献３】特開２００２−０４５６５０
【特許文献４】特開２００１−１５２６３７
【実案文献１】
実登３０６０４２８
【考案の開示】
【考案が解決しようとする課題】
【０００３】シックハウス症候群、シックビル症候群の対策としては居住空間の改善の効果が大であるが、その改善を目的とした従来の工法は、有害化学物質を分解したりマイナスイオンを発生させる物質を部屋の内壁に塗布する事のみに止まっており、上記症候群の対策のためにリフォームをしようとする場合に生ずる以下の問題点を解決できなかった。（１）賃貸等の理由で部屋の内壁に施工できない（２）部屋が洋間等の理由で内壁を漆喰様に加工することを好まない（３）内壁への施工前に光触媒の効果を体験したい（４）就寝時により多くの改善効果を得るために周囲を囲いたい（５）オフィス・店舗では居住空間が広く内壁のみの施工では改善効果が少ない
【課題を解決するための手段】
【０００４】第１の考案は漆喰状光触媒を芯材の両面に塗付して被膜を構成し、外枠を付けて、アレルギー症状を引き起こすシックハウス症候群・シックビル症候群の対策に適したパネルにすることである。
第２の考案は第１の考案のパネルを横方向に蝶番で複数枚連結することである。
第３の考案は第１の考案又は第２の考案のパネルにおいて、パネルの下部にキャスターを設けることである。尚本考案において使用する漆喰状光触媒は大気中の有害化学物質を分解し、かつマイナスイオンを発生させるものである。
【考案の効果】
【０００５】第１の考案により漆喰状光触媒を芯材の両面に塗付して被膜を構成し、外枠を付けてパネル化することで、従来の工法のように部屋の内壁に塗付することと比較して安価で２倍の有効面積を得ることが出来た上に移動可能になるので、内壁に立て掛けたり絵画のように掛けたり空間に吊るしたりして効率良く居住空間を改善することが可能になる。
第２の考案により第１の考案のパネルを横方向に蝶番で複数枚連結することで更に有効面積を拡大し倒れを防いで安定するため、居住空間内における本パネルの設置場所の可能性が広がり、より効率良く居住空間を改善することが可能になる。
第３の考案により第１の考案又は第２の考案のパネルにおいてパネルの下部にキャスターを設けることで更に移動が容易になるので、オフィス・店舗のような床面積の広い部屋でも効率良く居住空間を改善することが可能になる。
第１・第２・第３の考案により、本パネルを居住空間の適当な場所に希望するだけ置けるので、これまでシックハウス症候群・シックビル症候群の対策をとろうとしても制約があって居住空間の改善が出来なかった方、事前に体験したい方、より多くの改善効果を求める方のニーズに応えることが出来る。
【考案を実施するための最良の形態】
【０００６】縦９００ミリ横９００ミリ厚さ１０ミリの芯材の両面に４ミリ厚の漆喰状光触媒を塗付して被膜を構成し、厚さ３０ミリの外枠をつけてパネルにする。複数枚の本パネルを蝶番で連結することで居住空間の改善機能を増し、折り曲げて使用することで転倒を防止する。加えて単体のパネル又は蝶番で連結した複数枚のパネルの下部にキャスターを取り付けてより移動を容易にする。
【実施例】
【０００７】第２の考案による蝶番で３枚連結したパネルを、シックハウス症候群の１種であるアトピー性皮膚炎患者の寝室において布団を囲うように設置した。その結果寝室内の有害化学物質であるホルムアルデヒドが大幅に減少し、かつマイナスイオン優位の居住空間になったため、１週間で症状が緩和し１ヶ月でほぼ完治した。
【産業上の利用可能性】
【０００８】居住空間改善を対象とした健康産業へ寄与できる。
【図面の簡単な説明】
【０００９】
【図１】パネルの平面図
【図２】パネルの断面図
【図３】蝶番で連結したパネルの立体図
【図４】キャスターを取り付けたパネルの立体図
【符号の説明】
【００１０】１  パネル
２  外枠
３  芯材
４  漆喰状光触媒
５  蝶番
６  キャスター
【図１】
0003136482.tif 000003
【図２】
0003136482.tif 000004
【図３】
0003136482.tif 000005
【図４】
0003136482.tif 000006
【手続補正書】
【提出日】平成19年7月31日(2007.7.31)
【手続補正１】
【補正対象書類名】実用新案登録請求の範囲
【補正対象項目名】全文
【補正方法】変更
【補正の内容】
【実用新案登録請求の範囲】
【請求項１】
漆喰状光触媒を心材の両面に塗付して被膜を構成し、外枠をつけたことを特徴とする、アレルギー症状を引き起こすシックハウス症候群・シックビル症候群の対策に適したパネル。
【請求項２】
請求項１記載のパネルを横方向に蝶番で複数枚連結したパネル。
【請求項３】
上記請求項１又は請求項２のパネルにおいて、パネルの下部にキャスターを設けた請求項１又は請求項２のいずれかに記載のパネル。
(57)【要約】      （修正有）【課題】十字キーとジョイスティックを一つのコントローラーに設置すると片方が操作のし辛い位置になることを解決する。【解決手段】十字キーの中央に突起を無くした状態のジョイスティックを配置する。【選択図】図１
0003136490.tif 000002
【実用新案登録請求の範囲】
【請求項１】
十字キーの中央に突起を無くしたジョイスティックを設置したゲームコントローラー
【考案の詳細な説明】
【技術分野】
【０００１】  本考案はゲーム機のコントローラーに関する
【背景技術】
【０００２】  従来のコントローラーでは十字キーとジョイスティックをはなして設置していた。
【考案の開示】
【考案が解決しようとする課題】
【０００３】  しかし、従来のコントローラーでは十字キーとジョイスティックのどちらかが使いづらい位置になってしまい（図２参照）さらに両方を使った素早い操作ができなかった。
【課題を解消するための手段】
【０００４】  そこで、コントローラーの十字キーの中央にジョイスティックの突起をなくしたものを設置するコントローラーを考案した（図１）。これによりジョイスティックと十字キーを親指の位置を変えずに操作する事が出来るようになる。
【考案の効果】
よって、十字キーとジョイスティックの両方が使いづらい位置になることはなくなり、さらに親指の位置を変えずに操作が出来るので両方を使った素早い操作が出来るようになる。
【考案を実施するための最良の形態】
【０００６】  ジョイスティックの突起をなくしたものは十字キーから少し上にはみ出る位いが扱いやすい。又はジョイスティックの周りの十字キーをくぼませても良い。素材はなるべく滑りにくい物を使うと良い。表面に滑り止めのでこぼこをつけて防いでも良い。
【図面の簡単な説明】
【０００７】
【図１】  本考案のコントローラーの図である。
【図２】  従来のコントローラーの図である。
【符号の説明】
【０００８】  １      ジョイスティックの突起をなくしたもの
２      ジョイスティック
３      十字キー
【図１】
0003136490.tif 000003
【図２】
0003136490.tif 000004
(57)【要約】      （修正有）【課題】この考案は、専用無線による緊急時に発信される電波を受信する装置を有する時計に関する。【解決手段】消防署の緊急時における、非番時の署員および消防団員に対する待機命令や出動命令などの指令を伝達するために発信される消防無線１の電波を、時計内部に設けられたアンテナ２が感知し集積回路３に伝達される。集積回路３は情報を分析し音４と振動５により情報の着信を知らせると同時に、文字盤６の液晶は色の変化とフラッシングおよび文字の表示により、緊急指令の情報を伝達するものである。【選択図】図１
0003136487.tif 000002
【実用新案登録請求の範囲】
【請求項１】
緊急時に発信される専用無線の電波情報を受信する装置を有することを特徴とする時計。
【考案の詳細な説明】
【技術分野】
【０００１】  この考案は、専用無線による緊急時に発信する電波を受信する時計とその装置に関する。
以下、消防署の消防無線を例にする。
【背景技術】
【０００２】  消防署における消防無線による電波は、職務中における消防署所有車両搭載および携帯している無線機が送信先であった。
【考案の開示】
【考案が解決しようとする課題】
【０００３】  この考案は、消防署の非番時の署員および消防団員に対し、消防無線の電波による緊急指令を受信する装置を有する時計を提供しようとするものである。
【課題を解決するための手段】
【０００４】  この考案は、消防署が緊急時に発信する消防無線の電波を感知した時計が音、光、振動および文字表示により情報を伝達するものである。
【考案の効果】
【０００５】  消防署の緊急時における、非番時の署員および消防団員に対する連絡手段としては電話などが用いられているが、この考案により火災や地震、洪水などの災害時における緊急連絡業務を瞬時に行うことが可能となる。
【実施例】
【０００６】  この考案による時計内部の装置および作動例を説明すれば次のとおりである。
消防署の緊急時における、非番時の署員および消防団員に対する待機命令や出動命令などの指令を伝達するために発信される消防無線１の電波を、時計内部に設けられたアンテナ２が感知し集積回路３に伝達される。集積回路３は情報を分析し音４と振動５により情報の着信を知らせると同時に、文字盤６の液晶は色の変化とフラッシングおよび文字の表示により、緊急指令の情報を伝達するものである。
また、時計の文字盤がアナログ表示の場合においては、文字盤に設けられたＬＥＤの色の変化と発光およびフラッシングにより緊急指令の情報を伝達するものである。ＬＥＤの作動の変化の組み合わせにより複数件の情報の伝達が可能である。
この装置における着信音に関しては、その作動機能を休止させることもできる。【０００７】  この考案による受信システムにおいては、署員と消防団員に対しそれぞれ異なる情報の伝達も可能である。
【図面の簡単な説明】
【０００８】
【図１】  この考案に係わる緊急時における電波を受信した時計の説明図の例である。
【図２】  この考案に係わる消音スイッチＯＮにおける説明図の例である。
【符号の説明】
【０００９】  １  消防無線
２  アンテナ
３  集積回路
４  着信音
５  バイブレータ
６  液晶文字盤
７  消音スイッチ
８  時計
0003136487.tif 000003
→  作動回路
……休止回路
【図１】
0003136487.tif 000004
【図２】
0003136487.tif 000005
(57)【要約】【課題】  脱肛痔患者の排便後、また出先での肛門脱落にともなう苦痛や困難を、取り除くこと。【解決手段】  表面が極柔らかい布でできており、裏側が防水してある＝ゆびサック＝を提供する事により、洗浄や押し戻しを容易にする。【選択図】図１
0003136486.tif 000002
【実用新案登録請求の範囲】
【請求項１】
表はフランネル生地の様にとても柔らかい布で、できており、裏は水を通さないようにラテックスの様なもので、コーティングされている、指サック。
【考案の詳細な説明】
【技術分野】
【０００１】本考案は、脱肛痔患者の排便後の肛門の洗浄とその押し戻し、および出先等、不意の肛門脱落に際しての押し戻しに関するものである。
【背景技術】
【０００２】現在、既存の洋便器が改良され排便後、洗浄出来るようになって来ているが、一般的なもので、脱肛痔患者専用の為のものではなく、肛門の洗浄は出来ても＝おしもどし＝＝は、できない。また便器の設置および工事には多額の費用を要する点に問題がある
外科的手術によって脱落肛門を除去する事も行なわれているが、思わぬ失禁を招く事もある事は、医者も明言している。
【考案の開示】
【考案が解決しようとする課題】
【０００３】現在の一般的なトイレットペーパーは、その製造課程により遺憾ながら毒性を有している。よって脱肛痔患者が排便後、何度も肛門を拭う事によりペーパーの飛沫が肛門にに付着残存し炎症を起こす事になる。また何度もの拭う行為により肛門は乾燥し、＝押し戻し＝の際に大変な苦痛を伴う事になる。
【課題を解決するための手段】
【０００４】本考案は、脱肛痔患者専用の為の＝指サック＝を造り出す事により、排便後の洗浄と押し戻し、また不意の肛門脱落の際の押し戻しを可能にする。
この指サックは、表がフランネル等とても柔らかな生地で出来ており、裏がラテックスス等防水性をもった薄いゴム性の樹脂でコーティングされている。このサックを中指と人差し指に装着する事により、脱肛痔患者は排便後かるく紙で拭った後、用意した＝湯＝を使って脱落肛門を丁寧に洗浄し押し戻す。
出先での脱落に際しては軟膏と本指サックを使用すれば容易に対応する事が出来る。
【考案の効果】
【０００５】本考案により、脱肛痔患者は排便のたびに悩まされてきた苦痛から解放される。また出先での不意の肛門脱落に際しても同様である。
【図面の簡単な説明】
【０００６】
【図１】図１は、サックの表側でフランネル状の柔らかい羽毛状の布で吸湿性に富んでいる
【図２】図２は、サックを裏返した状態でラテックス等の防水性のゴムでコーティングされている。
【図１】
0003136486.tif 000003
【図２】
0003136486.tif 000004
【手続補正書】
【提出日】平成19年8月2日(2007.8.2)
【手続補正１】
【補正対象書類名】実用新案登録請求の範囲
【補正対象項目名】全文
【補正方法】変更
【補正の内容】
【実用新案登録請求の範囲】
【請求項１】
表はフランネル生地などのとても柔らかい布で、できており、裏は水を通さないようにラテックスなどの防水性ゴムでコーティングされている、指サック。
(57)【要約】      （修正有）【課題】足でキーボードを踏み続けることで足腰を鍛錬する。【解決手段】老人、病後の人などが弱っている足腰を楽しくリハビリできる。【選択図】図１
0003136488.tif 000002
【実用新案登録請求の範囲】
【請求項１】
本考案はボードの上に音階ごとのキーボードを設置し足で踏んで音楽を奏でる装置。
【考案の詳細な説明】
【技術分野】
【０００１】  本考案は足でキーボード踏み音楽を奏でることを目的とする。
【考案の開示】
【考案が解決しようとする課題】
【０００２】  足でキーボード踏み続けることで足腰を鍛えることである。
【課題を解決するための手段】
【０００３】  本考案は、病後の人などが弱っている足腰を楽しくリハビリできる。
【考案の効果】
【０００４】  上述の様に音楽を楽しく奏でることで健康を維持できる。
【考案を実施する為の最良の形態】
【０００５】  老人、障害者などの人達の鍛錬に音感とリズム感や体力維持に適している。
【実施例】
【０００６】  伴奏などと共にキーボード踏み演奏する。
【産業上の利用可能性】
【０００７】  ただ歩くだけでわ楽しみがなく、老人ホームなどに設置し皆で楽しめる。
【符号の説明】
１  キーボード
２  機器などが装備されたベース
【図１】
0003136488.tif 000003
【手続補正書】
【提出日】平成19年8月17日(2007.8.17)
【手続補正１】
【補正対象書類名】明細書
【補正対象項目名】全文
【補正方法】変更
【補正の内容】
【考案の詳細な説明】
【技術分野】
【０００１】  本考案は足でキーボード踏み音楽を奏でることを目的とする。
【考案の開示】
【考案が解決しようとする課題】
【０００２】  足でキーボード踏み続けることで足腰を鍛えることである。
【課題を解決するための手段】
【０００３】  本考案は、病後の人などが弱っている足腰を楽しくリハビリできる。
【考案の効果】
【０００４】  上述の様に音楽を楽しく奏でることで健康を維持できる。
【考案を実施する為の最良の形態】
【０００５】  老人、障害者などの人達の鍛錬に音感とリズム感や体力維持に適している。
【実施例】
【０００６】  伴奏などと共にキーボードを踏み演奏する。
【産業上の利用可能性】
【０００７】  ただ歩くだけでわ楽しみがなく、老人ホームなどに設置し皆で楽しめる。
【図面の簡単な説明】
【０００８】
【図１】は音階キーボードの図である。
【符号の説明】
【０００９】  １  音階キーボード
２  機器などが装備されたベース
(57)【要約】      （修正有）【課題】従来のボックス型ティッシュペーパーとは異なり、ペーパーを完全に使い切ってしまう前に、ペーパーの残量を把握できる様にする。【解決手段】従来のボックス型ティッシュペーパーでは、中身のペーパーが全て白色で構成されているが、中身のペーパーＡは白色、Ｂ（残数量約２０組から３０組）は色付き、Ｃは（使い初めからのペーパー）が白色であったのに対し、残り約２０〜３０枚の目安に達した時Ｄの様にペーパーの色、又は模様に変わる事により、消費者に残量を知らせ、次の備えが必要である事を確実に知らせる事ができる。残り約２０枚から３０枚のペーパーは２枚１組で構成されている為、残り２０枚は２０組、３０枚は３０組とする。【選択図】図１
0003136476.tif 000002
【実用新案登録請求の範囲】
【請求項１】
外見は従来のボックス型ティッシュペーパーと同じであるが、残量が僅かになった時（残量約２０から３０枚）ペーパーの色が他の色又は模様に変り、残量を一目で判り易くしたボックス型ティッシュペーパー。
【考案の詳細な説明】
【技術分野】
【０００１】本考案はボックス型ティッシュペーパーに関する。
【背景技術】
【０００２】従来のボックス型ティッシュペーパーでは、使用開始から終了まで同じ色のペーパーを使用していた。
【考案開示】
【考案が解決しようとする課題】
【０００３】しかし、これでは、紙の残量の把握が困難で、必要な時にペーパーが無くなってしまうという欠点が有り不便である。
【課題が解決するための手段】
【０００４】そこで、紙の残量が少なくなった時（残量約２０から３０枚）ペーパーの色が他色又は模様に変わるようにし、誰でもが紙の残量を用意に把握する事ができる様にする。
【考案の効果】
【０００５】よって、本考案の使用中のボックス型ティッシュペーパーの残量が少なくなった時、ペーパーの色が変わる事によって（ボックスの軽さで残量を把握する、又は、残りのペーパーを全部出さないと残量が判らない）等の煩わしさが無くなる。次の備えが必要で有る事を消費者に事前に且つ、確実に知らせる事ができるのである。
【図１】
0003136476.tif 000003
【図２】
0003136476.tif 000004
【手続補正書】
【提出日】平成19年7月5日(2007.7.5)
【手続補正１】
【補正対象書類名】実用新案登録請求の範囲
【補正対象項目名】全文
【補正方法】変更
【補正の内容】
【実用新案登録請求の範囲】
【請求項１】
残量が２０から３０枚になった時、ペーパーの色が他の色又は模様に変り、残量を一目で判り易くしたボックス型ティッシュペーパー。
【手続補正２】
【補正対象書類名】明細書
【補正対象項目名】全文
【補正方法】変更
【補正の内容】
【考案の詳細な説明】
【技術分野】
【０００１】  本考案はボックス型ティッシュペーパーに関する。
【背景技術】
【０００２】  従来のボックス型ティッシュペーパーでは、使用開始から終了まで同じ色のペーパーを使用していた。
【考案開示】
【考案が解決しようとする課題】
【０００３】  しかし、これでは、紙の残量の把握が困難で、必要な時にペーパーが無くなってしまうという欠点が有り不便である。
【課題を解決するための手段】
【０００４】  そこで、紙の残量が少なくなった時（残量約２０から３０枚）ペーパーの色が他の色又は模様に変わるようにし、誰でもが紙の残量を容易に把握する事ができる様にする。
【考案の効果】
【０００５】  よって、本考案の使用中のボックス型ティッシュペーパーの残量が少なくなった時、ペーパーの色が変わる事によって（ボックスの軽さで残量を把握する、又は、残りのペーパーを全部出さないと残量が判らない）等の煩わしさが無くなる。次の備えが必要で有る事を消費者に事前に且つ、確実に知らせる事ができるのである。
【図面の簡単な説明】
【０００６】
【図１】本考案のティッシュペーパーを示す図である。
【図２】本考案のボックス型ティッシュペーパーの概略図である。
【符号の説明】
【０００７】Ａ・・・白色ペーパー
Ｂ・・・色付きペーパー
Ｃ・・・白色ペーパー
Ｄ・・・白色又は模様付きペーパー
(57)【要約】      （修正有）【課題】ピトン棒に竿受けを取り付けても釣竿の邪魔にはならず、魚が釣れた時、タモをすばやく取ることが出来るようにする。【解決手段】ピトン棒１に、タモ受け２を差し込みネジ３で（上下・方角）固定し、自分が魚を釣った時、タモをすばやく手に取れるように、角度調節ネジ４で角度を変えられる様にする。【選択図】図１
0003136477.tif 000002
【実用新案登録請求の範囲】
【請求項１】
釣りをしている時、今までは、タモを磯の上や台に置いたりしていたのですが、不安定な為、タモが風に飛ばされたり、磯に引っかかったり、波にさらわれたりして、魚が釣れた時、すばやくタモを取れなかった為、タモが釣竿の身近にあれば便利だと思い考案しました。
【考案の詳細な説明】
【技術分野】
【０００１】本考案は、釣りをしている時、タモを取りやすくする為にピトン棒に差し込んで取り付け、タモの角度も自由に調節でき、手軽にタモを取れるようにしたものである。
【背景技術】
【０００２】従来は、ピトン棒にタモを取り付けられるタモ受けはなかった。
【考案の開示】
【考案が解決しようとする課題】
【０００３】従来は、タモを磯の上にそのまま置いたり、台の上に置いたり・立てかけたりしていたが、それではタモが、キズついたり・風に飛ばされたり・波にさらわれたりして、魚が釣れたときにすばやくタモを、取ることが出来なかった。
魚を釣る時には、絶対タモは身近に置きたい物なので、この考案は、課題を解消する為になされたものである。
【課題を解決するための手段】
【０００４】ピトン棒１に、タモ受け２を差し込みネジ３で（上下・方角）固定し、釣竿の邪魔にならない様に、角度調節ネジ４で角度が変えられ、タモを取りやすくした。
【考案の効果】
【０００５】ピトン棒に、タモ受けを取り付けても、タモが釣竿の邪魔にならず、タモを取りやすく、魚を逃がす事がなくなった。
【図面の簡単な説明】
【０００６】
【図１】ピトン棒にタモ受けを、取り付けた平面図である。
【図２】磯の上でピトン棒に、タモ受けを取り付けて魚釣りをしている図。
【図３】タモ受けを説明した図。
【符号の説明】
【０００７】１    ピトン棒
２    タモ受け
３    タモ受け取り付けネジ
４    角度調節ネジ
５    タモ
６    竿受け
７    釣竿
【図１】
0003136477.tif 000003
【図２】
0003136477.tif 000004
【図３】
0003136477.tif 000005
【手続補正書】
【提出日】平成19年6月29日(2007.6.29)
【手続補正１】
【補正対象書類名】実用新案登録請求の範囲
【補正対象項目名】全文
【補正方法】変更
【補正の内容】
【実用新案登録請求の範囲】
【請求項１】
ピトン棒１に、タモ受け２を差し込みネジで上下方向に固定し、釣竿の邪魔にならない様に、角度調節ネジ４で角度が変えられることを、特徴とした磯タモ受け。
(57)【要約】      （修正有）【課題】作物の苗の植付作業、腰掛け移動しながら作業できる苗も台車に置いて、作物中間手入れ作業、高所作業を台車に乗ったまま作業できる、収穫時に運搬車として使用する施設園芸用電動作業車の提供。【解決手段】電源にバッテリーを使って、ＤＣモーターを駆動して各種の作業が出来る施設園芸用電動作業車。電動作業車のハンドル２にスイッチ１７を押すと移動します。前進、後進、手を離すと止まる。腰掛け作業の場合、荷物を置く場合、補助台３をスライドして荷物を置くことが出来る。また高所作業の場合は、２段台を台車に設置して作業する。駆動切替の場合、切替ハンドル１３を使ってチェンスプロケット６をフリーにして手押し台車として使用することが出来る。バッテリーの充電は夜間に行い８時間実動できる。【選択図】図１
0003136474.tif 000002
【実用新案登録請求の範囲】
【請求項１】
電動作業車の台車１に作業者が腰掛けて作業する時、荷物を置く場所が狭くなるので、台車１にスライド出来る補助台３を設置することより荷物を置いて作業が楽にできる事を特徴する電動作業車。
【請求項２】
作物の栽培で高所の作業の場合、電動作業車の台車１にイス１８また２段台１９を設置して作業が移動しながら楽な姿勢で作業が出来ることを特徴する電動作業車。
【請求項３】
電動作業車の駆動を切替してフリー回転する為にハンドル１３を使って車輪軸４にキー４−１を取り付けて移動クラッチ７を移動してスプロケット６をフリー回転す（図２）駆動切替装置より手押し運搬車として使用することを特徴とする電動作業車。
【考案の詳細な説明】
【技術分野】
【０００１】施設園芸で作物栽培する時、苗の植え付け作業中間手入れ、高所の作業など、また収穫作業など使用の電動作業車。
【背景技術】
【０００２】作物の苗を植え付けの時、電動作業車に腰掛けて苗を台車に積んで作業できる。高所の手入れ作業など２段台に乗って移動しながら作業が出来る作物の収穫の時運搬車に使用することができる。
【考案の開示】
【考案解決しようとする課題】
【０００３】電源をバッテリーを使ってＤＣギャドモーター駆動する。通路狭いので小型の台車にする作業も各種作業出来ること。バッテリーの充電は夜間して実動８時間使用できること。
【課題を解決するための手段】
【０００４】台車を出来るだけ小さく補助台をスライド式にして、腰掛けの横に荷物を置くことができる。高所作業の場合、台車に２段台また腰掛け用イスを設置する駆動切替装置でチエンスプロケット６をフリー回転して運搬車として使うことが出来る。
【考案の効果】
【０００５】電動作業車のハンドル２にスイッチ１７を押すと移動し、前進、後進。手を離すと止まる。台車１にスライド補助台３で荷物を置くことが出来る。台車１にイス１８、２段台１９を設置して腰掛け作業また高所作業出来ます。駆動切替ハンドル１３使ってチェンのスプロケットフリー回転して手押し台車として使用できる。バッテリー夜間充電して実動８時間使用できる。
【実施例】
【０００６】電動作業者のハンドル２にスイッチ１７を押すと移動します。前進、後進、手を離すと止まります。腰掛け作業の場合、荷物を置く場合、補助台３をスライドして荷物を置くことが出来る。また高所作業の場合は、２段台１９を台車に設置して作業する。駆動切替の場合、切替ハンドル１３を使ってチェンスプロケット６をフリーにして手押し台車として使用することが出来る。バッテリーの充電は夜間に行い８時間実動できます。
【図面の簡単な説明】
【０００７】
【図１】  側面正面図
【図２】  電動作業車駆動切替装置図
【図３】  電動作業車全体斜視図イス２段台
【図４】  電動作業車の２段台取付図
【図５】  施設園芸作物栽培作業図
【符号の説明】
【０００８】  （１）      台車                （１２）    切替受金具
（２）      ハンドル            （１２−１）カムフロアー
（３）      補助台スライド式    （１３）    切替ハンドル
（４）      車輪軸              （１４）    止金具
（５）      車輪                （１５）    ＤＣギャドモーター
（６）      スプロケット        （１６）    バッテリー
（７）      移動クラッチ        （１７）    スイッチ
（８）      バネ                （Ａ）      苗植付作業
（９）      バネ止金具          （Ｂ）      ベットの栽培作業
（１０）    チェン              （Ｃ）      高所手入作業
（１１）    軸受け金具
（１１−１）軸
【図１】
0003136474.tif 000003
【図２】
0003136474.tif 000004
【図３】
0003136474.tif 000005
【図４】
0003136474.tif 000006
【図５】
0003136474.tif 000007
【手続補正書】
【提出日】平成19年7月11日(2007.7.11)
【手続補正１】
【補正対象書類名】実用新案登録請求の範囲
【補正対象項目名】全文
【補正方法】変更
【補正の内容】
【実用新案登録請求の範囲】
【請求項１】
電動作業車において作業車が腰をかける台車１に収納できる補助台３を配置した事を特徴とする電動作業車。
【請求項２】
電動作業車の台車１に椅子１８又は２段台１９を設置できる事を特徴とする請求項１記載の電動作業車。
【請求項３】
電動作業車の動力伝達をハンドル１３を使って駆動軸４のクラッチ７を移動し、車輪６が自在回転出来る事を特徴とする請求項１記載の電動作業車。